(57)【要約】【課題】連写機能を備えたデジタルカメラにおいて、連続撮影時における複数の動作条件の設定を容易に行うことを可能とする。【解決手段】  連写モードとして高速、中速、低速の３種類を設けておき、モード選択画面Ｇ１において、ユーザーにいずれかの連写モードを選択させる（ａ）。選択された連写モードに対応して予め決められている秒間撮影枚数、画像サイズ、最大撮影枚数といった各条件項目の設定値を確認画面Ｇ２に表示し、設定値の変更を希望する条件項目の選択させる（ｂ）。確認画面Ｇ２に、選択された条件項目に設定可能な値であって、全ての連写モードに当該条件項目の設定値としてそれぞれ設定されている値からなる候補値群２０１を表示し、所望の値を選択させる（ｃ）。選択された値を当該条件項目の設定とし、同時に他の条件項目に、選択された値と同じ連写モードに対応して予め決められている値を自動的に設定する（ｄ）。【選択図】      図４
2008244899.tif 000002
【特許請求の範囲】
【請求項１】
被写体を連続撮影して得られた一連の静止画データを記録媒体に記録する連写機能を備えたデジタルカメラにおいて、
連続撮影時の動作内容が異なる複数の連写モードの各々に対応する複数組の動作条件であって、各連写モードの動作内容を規定する複数の動作条件項目の個々の条件内容をそれぞれ構成要素とし、かつ各動作条件項目の条件内容が他の組の同一の動作条件項目の条件内容と重複しない複数組の動作条件、を示す動作条件情報を記憶する動作条件記憶手段と、
使用者に、連続撮影時の動作内容を規定する前記複数の動作条件項目のうちの所定の動作条件項目の条件内容として、前記動作条件記憶手段に記憶されている動作条件情報によって示される複数組の動作条件をそれぞれ構成する前記所定の動作条件項目に関する複数の条件内容の中のいずれか１つを選択させる選択制御手段と、
連続撮影時の動作内容を規定する前記所定の動作条件項目以外の条件内容として、前記動作条件記憶手段に記憶されている動作条件情報によって示されるとともに、前記選択制御手段が使用者に選択させた条件内容と共に同一の動作条件を構成する他の条件内容を設定する設定手段と
を備えたことを特徴とするデジタルカメラ。
【請求項２】
前記選択制御手段は、使用者に、前記複数の動作条件項目のうちで使用者によって選択された所定の動作条件項目の条件内容として、前記動作条件記憶手段に記憶されている動作条件情報によって示される複数組の動作条件をそれぞれ構成する前記所定の動作条件項目に関する複数の条件内容の中からいずれか１つを選択させることを特徴とする請求項１記載のデジタルカメラ。
【請求項３】
前記複数の動作条件項目は、各々の条件内容が相互に規制し合う関係にあることを特徴とする請求項１又は２記載のデジタルカメラ。
【請求項４】
前記複数の連写モードには、前記一連の静止画データの記録媒体への記録方式として複数の記録方式が混在すること特徴とする請求項１，２又３記載のデジタルカメラ。
【請求項５】
被写体を連続撮影して得られた一連の静止画データを記録媒体に記録する連写機能を備えたデジタルカメラにおいて、
前記連写機能における所定の撮影条件項目毎に、選択可能なパラメータを予め複数記憶した動作条件記憶手段と、
前記所定の撮影条件項目から何れか一つの撮影条件項目を選択する第一の選択手段と、
前記第一の選択手段により選択された撮影条件項目に対応する複数のパラメータを前記動作条件記憶手段から読み出して表示制御する表示制御手段と、
前記表示制御手段により表示制御される複数のパラメータから所定のパラメータを選択する第二の選択手段と、
前記第二の選択手段により選択されたパラメータを、前記第一の選択手段により選択された撮影条件項目での設定値として設定するとともに、前記第二の選択手段により選択されたパラメータと予め関連付けられて前記動作条件記憶手段に記憶されているパラメータを他の前記所定の撮影条件項目での設定値として設定する設定手段と、
を備え、
前記動作条件記憶手段における所定の撮影条件項目毎のパラメータの記憶数は同一であって、所定の撮影条件項目における各々のパラメータが互いに他の全ての撮影条件項目の各々における何れかのパラメータと予め関連付けられて組を成すとともに、所定の撮影条件項目別のパラメータの組合せ数が前記記憶数と同一である
ことを特徴とするデジタルカメラ。
【請求項６】
被写体を連続撮影して得られた一連の静止画データを記録媒体に記録する連写機能を備えたデジタルカメラにおける連写機能設定方法であって、
連続撮影時の動作内容が異なる複数の連写モードの各々に対応する複数組の動作条件であって、各連写モードの動作内容を規定する複数の動作条件項目の個々の条件内容をそれぞれ構成要素とし、かつ各動作条件項目の条件内容が他の組の同一の動作条件項目の条件内容と重複しない複数組の動作条件、を示す動作条件情報を予め記憶しておき、
使用者に、連続撮影時の動作内容を規定する前記複数の動作条件項目のうちの所定の動作条件項目の条件内容として、前記動作条件記憶手段に記憶されている動作条件情報によって示される複数組の動作条件をそれぞれ構成する前記所定の動作条件項目に関する複数の条件内容の中のいずれか１つを選択させた後、
連続撮影時の動作内容を規定する前記所定の動作条件項目以外の条件内容として、前記動作条件情報によって示されるとともに、使用者に選択された条件内容と共に同一の動作条件を構成する他の条件内容を設定する
ことを特徴とする連写機能設定方法。
【請求項７】
被写体を連続撮影して得られた一連の静止画データを記録媒体に記録する連写機能を備えるとともに、連続撮影時の動作内容が異なる複数の連写モードの各々に対応する複数組の動作条件であって、各連写モードの動作内容を規定する複数の動作条件項目の個々の条件内容をそれぞれ構成要素とし、かつ各動作条件項目の条件内容が他の組の同一の動作条件項目の条件内容と重複しない複数組の動作条件、を示す動作条件情報を記憶する動作条件記憶手段を有するデジタルカメラが有するコンピュータを、
使用者に、連続撮影時の動作内容を規定する前記複数の動作条件項目のうちの所定の動作条件項目の条件内容として、前記動作条件記憶手段に記憶されている動作条件情報によって示される複数組の動作条件をそれぞれ構成する前記所定の動作条件項目に関する複数の条件内容の中のいずれか１つを選択させる選択制御手段と、
連続撮影時の動作内容を規定する前記所定の動作条件項目以外の条件内容として、前記動作条件記憶手段に記憶されている動作条件情報によって示されるとともに、前記選択制御手段が使用者に選択させた条件内容と共に同一の動作条件を構成する他の条件内容を設定する設定手段と
して機能させることを特徴とする連写機能設定プログラム。
【発明の詳細な説明】
【技術分野】
【０００１】
本発明は、連写機能を備えたデジタルカメラに関するものである。
【背景技術】
【０００２】
近年、ＣＣＤやＣＭＯＳなどの撮像デバイスにより被写体を撮像し、撮像した画像をメモリカード等の画像記録媒体に記録するデジタルカメラにおいては、複数枚の静止画像を連続撮影（以下、連写ともいう。）して記録する連写機能を備えたものが多い。連写時における画像の記録方式はデジタルカメラによって様々であり、例えば連写した静止画像のデータを画像記録媒体に逐次記録するものや、連続撮影中には全ての静止画像のデータをバッファメモリに蓄積しておき、撮影終了時点でバッファメモリから画像記録媒体に一括して記録するものが一般的である。
【０００３】
また、連写機能を有するデジタルカメラにおいては、例えば下記特許文献１に記載されているもののように、装置自体の画像データ処理能力や前述した記録方式の違いによって制限されるものの、ユーザーが連写時における撮影間隔を一定範囲内で自由に設定できるものも少なくない。
【特許文献１】特開２００５−１０２１０６号公報
【発明の開示】
【発明が解決しようとする課題】
【０００４】
ところで、連写機能を用いた撮影時の利便性を考えると、撮影間隔に限らず連写する静止画像の画像サイズや、最大撮影枚数（記録枚数）といった他の動作条件についてもユーザーが自由に設定できる構成とすることが望ましい、しかしながら、それを実施する場合には、以下のような問題があった。
【０００５】
すなわち、前述したように撮影間隔は装置自体の画像データ処理能力や前述した記録方式の違いによって制限されるが、連続撮影で記録可能な静止画像の画像サイズや、撮影可能な画像枚数（記録枚数）についても撮影間隔と同様に制限される。また、撮影間隔、記録可能な画像サイズ、記録可能な画像枚数は相互に関係しており、いずれかの動作条件が変化するとそれ以外の動作条件も変化する関係にある。
【０００６】
係ることから、複数の動作条件を設定可能にすると、例えばユーザーは、いずれかの動作条件の設定を変更したときには、それに合わせて他の動作条件を新たに設定可能な範囲内で再設定し直す必要に迫られるといった状況が不可避的に生じることとなる。したがって、複数の動作条件を設定可能にする場合にあっては、複数の動作条件の設定が煩雑となるという問題があった。
【０００７】
本発明は、かかる従来の課題に鑑みてなされたものであり、連続撮影時における複数の動作条件の設定を容易に行うことが可能なデジタルカメラ、及びその連写機能設定方法、連写機能設定プログラムを提供することを目的とする。
【課題を解決するための手段】
【０００８】
前記課題を解決するため請求項１記載の発明に係るデジタルカメラにあっては、被写体を連続撮影して得られた一連の静止画データを記録媒体に記録する連写機能を備えたデジタルカメラにおいて、連続撮影時の動作内容が異なる複数の連写モードの各々に対応する複数組の動作条件であって、各連写モードの動作内容を規定する複数の動作条件項目の個々の条件内容をそれぞれ構成要素とし、かつ各動作条件項目の条件内容が他の組の同一の動作条件項目の条件内容と重複しない複数組の動作条件、を示す動作条件情報を記憶する動作条件記憶手段と、使用者に、連続撮影時の動作内容を規定する前記複数の動作条件項目のうちの所定の動作条件項目の条件内容として、前記動作条件記憶手段に記憶されている動作条件情報によって示される複数組の動作条件をそれぞれ構成する前記所定の動作条件項目に関する複数の条件内容の中のいずれか１つを選択させる選択制御手段と、連続撮影時の動作内容を規定する前記所定の動作条件項目以外の条件内容として、前記動作条件記憶手段に記憶されている動作条件情報によって示されるとともに、前記選択制御手段が使用者に選択させた条件内容と共に同一の動作条件を構成する他の条件内容を設定する設定手段とを備えたことを特徴とする。
【０００９】
また、請求項２記載の発明に係るデジタルカメラにあっては、前記選択制御手段は、使用者に、前記複数の動作条件項目のうちで使用者によって選択された所定の動作条件項目の条件内容として、前記動作条件記憶手段に記憶されている動作条件情報によって示される複数組の動作条件をそれぞれ構成する前記所定の動作条件項目に関する複数の条件内容の中からいずれか１つを選択させることを特徴とする。
【００１０】
また、請求項３記載の発明に係るデジタルカメラにあっては、前記複数の動作条件項目は、各々の条件内容が相互に規制し合う関係にあることを特徴とする。
【００１１】
また、請求項４記載の発明にあっては、前記複数の連写モードには、前記一連の静止画データの記録媒体への記録方式として複数の記録方式が混在すること特徴とする請求項１，２又３記載のデジタルカメラとした。
【００１２】
また、請求項５記載の発明に係るデジタルカメラにあっては、被写体を連続撮影して得られた一連の静止画データを記録媒体に記録する連写機能を備えたデジタルカメラにおいて、前記連写機能における所定の撮影条件項目毎に、選択可能なパラメータを予め複数記憶した動作条件記憶手段と、前記所定の撮影条件項目から何れか一つの撮影条件項目を選択する第一の選択手段と、前記第一の選択手段により選択された撮影条件項目に対応する複数のパラメータを前記動作条件記憶手段から読み出して表示制御する表示制御手段と、前記表示制御手段により表示制御される複数のパラメータから所定のパラメータを選択する第二の選択手段と、前記第二の選択手段により選択されたパラメータを、前記第一の選択手段により選択された撮影条件項目での設定値として設定するとともに、前記第二の選択手段により選択されたパラメータと予め関連付けられて前記動作条件記憶手段に記憶されているパラメータを他の前記所定の撮影条件項目での設定値として設定する設定手段と、を備え、前記動作条件記憶手段における所定の撮影条件項目毎のパラメータの記憶数は同一であって、所定の撮影条件項目における各々のパラメータが互いに他の全ての撮影条件項目の各々における何れかのパラメータと予め関連付けられて組を成すとともに、所定の撮影条件項目別のパラメータの組合せ数が前記記憶数と同一であることを特徴とする。
【００１３】
また、請求項６記載の発明に係る連写機能設定方法にあっては、被写体を連続撮影して得られた一連の静止画データを記録媒体に記録する連写機能を備えたデジタルカメラにおける連写機能設定方法であって、連続撮影時の動作内容が異なる複数の連写モードの各々に対応する複数組の動作条件であって、各連写モードの動作内容を規定する複数の動作条件項目の個々の条件内容をそれぞれ構成要素とし、かつ各動作条件項目の条件内容が他の組の同一の動作条件項目の条件内容と重複しない複数組の動作条件、を示す動作条件情報を予め記憶しておき、使用者に、連続撮影時の動作内容を規定する前記複数の動作条件項目のうちの所定の動作条件項目の条件内容として、前記動作条件記憶手段に記憶されている動作条件情報によって示される複数組の動作条件をそれぞれ構成する前記所定の動作条件項目に関する複数の条件内容の中のいずれか１つを選択させた後、連続撮影時の動作内容を規定する前記所定の動作条件項目以外の条件内容として、前記動作条件情報によって示されるとともに、使用者に選択された条件内容と共に同一の動作条件を構成する他の条件内容を設定することを特徴とする。
【００１４】
また、請求項７記載の発明に係る連写機能設定プログラムにあっては、被写体を連続撮影して得られた一連の静止画データを記録媒体に記録する連写機能を備えるとともに、連続撮影時の動作内容が異なる複数の連写モードの各々に対応する複数組の動作条件であって、各連写モードの動作内容を規定する複数の動作条件項目の個々の条件内容をそれぞれ構成要素とし、かつ各動作条件項目の条件内容が他の組の同一の動作条件項目の条件内容と重複しない複数組の動作条件、を示す動作条件情報を記憶する動作条件記憶手段を有するデジタルカメラが有するコンピュータを、使用者に、連続撮影時の動作内容を規定する前記複数の動作条件項目のうちの所定の動作条件項目の条件内容として、前記動作条件記憶手段に記憶されている動作条件情報によって示される複数組の動作条件をそれぞれ構成する前記所定の動作条件項目に関する複数の条件内容の中のいずれか１つを選択させる選択制御手段と、連続撮影時の動作内容を規定する前記所定の動作条件項目以外の条件内容として、前記動作条件記憶手段に記憶されている動作条件情報によって示されるとともに、前記選択制御手段が使用者に選択させた条件内容と共に同一の動作条件を構成する他の条件内容を設定する設定手段として機能させることを特徴とする。
【発明の効果】
【００１５】
本発明によれば、連写機能を備えたデジタルカメラにおいて、連続撮影時における複数の動作条件の設定を容易に行うことが可能となる。
【発明を実施するための最良の形態】
【００１６】
以下、本発明の一実施の形態を図にしたがって説明する。図１は、本発明に係るデジタルカメラ１のブロック図である。
【００１７】
デジタルカメラ１は連写機能を備えたものであって、図に示したように、システムの全体を制御するＣＰＵ２と、光学系３を介して被写体を撮像するＣＣＤ４とを備えている。ＣＣＤ４はＴＧ（Timing Generator）５により所定の周期で走査駆動されて、結像された被写体の光学像を画素毎に光電変換し、光の強さに応じた画素信号からなるアナログの撮像信号をアナログ処理部６に出力する。なお、ＣＣＤ４はＣＰＵ２から送られるシャッターパルスに応じて電荷蓄積時間を変化されることにより電子シャッターとして機能する。
【００１８】
アナログ処理部６は、入力した撮像信号に含まれるノイズを除去するＣＤＳ（Correlated Double Sampling：相関二重サンプリング回路）と、ＣＤＳを経た撮像信号を増幅するアナログアンプであるＡＧＣ（ゲイン調整アンプ）と、ＡＧＣで増幅され調整されたアナログの撮像信号をデジタル信号に変換するＡＤ（Ａ／Ｄ変換器）とからなり、デジタル化した撮像信号をＣＰＵ２に出力する。
【００１９】
ＣＰＵ２は、画像データの圧縮・伸張を含む各種のデジタル信号処理機能を備えており、アナログ処理部６から出力された撮像信号をアドレス・データバス７を介して順次ＤＲＡＭ８に送り画素データとして蓄積する。また、ＤＲＡＭ８に蓄積された画素を、所定の画像処理ブロック単位で読み出し、Ｒ，Ｇ，Ｂ毎のデジタルの画像データを生成し、輝度（Ｙ）信号・色差（Ｃｂ，Ｃｒ）信号の画像データへ変換し、さらに変換後の画像データに基づきビデオ信号を生成して液晶モニタ９へ送る。
【００２０】
液晶モニタ９は、記録モードが設定されているときには、所定のフレーム周期で更新される被写体画像すなわちスルー画像等を表示するとともに、操作補助用として各種のメニュー画面や、記録画像サイズの設定用等の種々の設定画面、メッセージ等を表示し、本発明の表示手段として機能する。
【００２１】
また、ＣＰＵ２は、画像記録時においては画像処理ブロック単位のＹ，Ｃｂ，Ｃｒの画像データを所定の方式で圧縮符号化し、記録されている静止画像の再生時には伸張復号化する。撮影時に圧縮符号化された画像データは、静止画データとして内蔵フラッシュメモリ１０や、カードインターフェース１１を介して着脱自在な各種のメモリカード１２に記録する。
【００２２】
キー入力部１３は、電源キーやシャッターキー、モード切替スイッチ、メニューキー、ディスプレーキー、コントロールキー、セットキー等の各操作キーから構成される。コントロールキーは上下左右の４方向が指示可能なデジタルカメラにおいて一般的に設けられているキーであり、前記メニューキーの押下により液晶モニタ９に表示されるメニュー画面での設定項目や設定内容の選択に使用される。キー入力部１３におけるキー操作状態はＣＰＵ２によって逐次スキャンされており、ユーザーによりいずれかの操作キーが操作されると、その操作内容がＣＰＵ２によって検出される。
【００２３】
前記内蔵フラッシュメモリ１０には、カメラ本体にメモリカード１２が装着されていない状態で撮影された画像のファイルが記録される画像記憶領域、及びプログラム領域とが確保されている。プログラム領域には、ＣＰＵ２に画像データの圧縮・伸張や、色調整処理を含む各種の画像信号処理や、ＡＥ制御等を行わせるための各種プログラムと、それらのプログラムに基づく動作に必要な各種データが記憶されている。特に本実施の形態においては、連写機能の設定時にＣＰＵ２を本発明の選択制御手段、設定手段として機能させるためのプログラム、及び本発明の動作条件情報である図２に示した動作条件データ１０１が記憶されている。つまり内蔵フラッシュメモリ１０が本発明の動作条件記憶手段である。
【００２４】
動作条件データ１０１は、デジタルカメラ１において設定可能な複数の連写モード、すなわち「高速」、「中速」、「低速」の３種類に対応して予め設定されている動作条件を示すデータであって、図示したように「秒間撮影枚数」、「画像サイズ」、「最大撮影枚数」、「記録方式」といった、各連写モードでの連続撮影時の動作内容を規定する複数の動作条件項目毎の条件内容（パラメータ）により構成されている。
【００２５】
上記動作条件項目のうち「秒間撮影枚数」は１秒間に撮影する画像枚数（枚／秒）、「画像サイズ」は一連の撮影で記録する個々の静止画像の画素数（横×縦の画素数）、「最大撮影枚数」は１回の連続撮影で記録する静止画像の枚数であり、各々の動作条件項目には、連写モードに固有、つまり他の連写モードと重複しない値が予め設定されている。なお、これらの動作条件項目は、後述するように連写機能に関する設定モードにおいてユーザーが各々の条件内容（パラメータ）を選択可能な動作条件項目である。
【００２６】
また、記録方式は「バッファ一括記録」と「逐次記録」との２種類であり、高速連写モード及び中速連写モードにはバッファ一括記録が、低速連写モードには逐次記録が設定されている。記録方式は背景技術として先に説明した方式であり、バッファ一括記録方式は、連続撮影した全ての静止画像のデータをＤＲＡＭ８（バッファメモリ）にいったん蓄積しておき、撮影終了時点でＤＲＡＭ８からメモリカード１２（又は内蔵フラッシュメモリ１０の画像記憶領域）に一括して記録する方式、逐次記録方式は、連続撮影した静止画像のデータを前記メモリカード１２（又は内蔵フラッシュメモリ１０の画像記憶領域）に逐次記録する方式である。なお、記録方式は、後述するように連写機能に関する設定モードにおいても、ユーザーが間接的には選択可能であるものの直接選択することができない動作条件項目である。
【００２７】
そして、デジタルカメラ１においては、撮影用の記録モードの下位モードとして連写モードが設けられており、連写モードによる撮影時には、前記動作条件データ１０１によって示されるととともに、そのとき設定されている上述した３種類のうちのいずれかのモードに応じた動作条件に従った連続撮影が行われる。
【００２８】
次に、以上の構成からなるデジタルカメラ１の動作について説明する。図３は、任意の時点で、ユーザーにより連写機能に関する設定モードが選択されたときのデジタルカメラ１の動作を示すフローチャートである。
【００２９】
デジタルカメラ１は、上記設定要求があると、まず液晶モニタ９に、前述した３種類の連写モードを選択肢とする図４（ａ）に示したモード選択画面Ｇ１を表示し、ユーザーに所望する連写モードを選択される（ステップＳ１）。
【００３０】
ここで、いずれかの連写モードが選択されたら（ステップＳ２でＹＥＳ）、前記動作条件データ１０１を構成する動作条件項目のうちでユーザーが選択可能な動作条件項目すなわち秒間撮影枚数、画像サイズ、最大撮影枚数と、各動作条件項目の設定値であって、ユーザーにより選択された連写モードに対応する設定値とからなる、図４（ｂ）に示した設定内容の確認画面Ｇ２を表示する（ステップＳ３）。これにより、ユーザーに対して連写機能に関する具体的な動作条件を知らせる。なお、確認画面Ｇ２には、その時点で設定（選択）されている連写モードについても表示させる。
【００３１】
また、確認画面Ｇ２の表示に際しては、画面上のいずれか１つの動作条件項目上にカーソル（図で太枠）を表示させる一方、ユーザーにコントロールキーの操作によるカーソル移動とセットキーによる確定操作によって、設定値の変更を希望する動作条件項目の選択を可能とする。
【００３２】
ここで、ユーザーによって所定の設定終了操作（メニューキーの押下等）が行われることなく（ステップＳ４でＮＯ）、確認画面Ｇ２において、ユーザーにより選択された任意の動作条件項目が選択された場合には（ステップＳ５でＹＥＳ）、図４（ｃ）に示したように、前記確認画面Ｇ２内に、そのとき選択された動作条件項目に関する設定可能な複数の値からなる候補値群２０１を表示し、所望する値をユーザーに選択させる（ステップＳ６）。
【００３３】
このときの値の選択方法は先に述べた動作条件項目の選択方法と同様である。また、上記候補値群２０１として表示する値は前記動作条件データ１０１に示されている値であり、いずれかの連写モードに対応する値である。なお、図４（ｃ）は、ユーザーにより動作条件項目として「秒間撮影枚数」が選択されたときの例である。
【００３４】
そして、確認画面Ｇ２の表示中に、いずれかの動作条件項目の候補値群２０１の中からいずれかの値が選択されたら（ステップＳ７でＹＥＳ）、その動作条件項目の設定値が選択された値となっている連写モードを前記動作条件データ１０１において確認し、その連写モードを新たな連写モードとして設定する（ステップＳ８）。しかる後、前述したステップＳ３へ戻り、新たな設定した連写モードに対応する各動作条件項目の設定値を示す、図４（ｄ）に示した新たな確認画面Ｇ３を表示する。なお、図４（ｄ）は、同図（ｃ）に対応するものであり、ユーザーによって「秒間撮影枚数」の値として１０枚が選択されたときの例である。
【００３５】
これ以後、ユーザーによる設定終了操作があるまで、ステップＳ３〜ステップＳ８の動作を繰り返すとともに、ユーザーによる設定終了操作があった時点で連写モードの設定を終了する。
【００３６】
以上のように本実施形態においては、ユーザーは、連写機能を用いた連写を行う場合、動作条件が異なる３種類の連写モードのいずれか選択的に設定して使用することができることは無論、連写モードの設定に際しては、「秒間撮影枚数」、「画像サイズ」、「最大撮影枚数」といった動作条件のうちで自分が重視する動作条件の設定値を、所望とする値に最も近いものを選択（設定）するだけで、それに応じた連写モードが自動的に設定される。つまり、自分が重視するある動作条件以外の他の動作条件の設定値が、ある動作条件の設定値に応じて自動的に設定される。したがって、ユーザーは、連続撮影時における複数の動作条件の設定を容易に行うことができる。
【００３７】
なお、本実施形態においては、便宜上、使用可能な連写モードが３種類、つまり各々の動作条件として設定可能な値が３種類である場合について説明したが、連続撮影時の動作内容を、被写体の動きの度合や被写体の種類、さらにはユーザーの撮影意図の違いとった多様な要求への対応を可能とするには、各々の動作条件に設定可能な値を増やす、つまり連写モードの種類を増やせば、それが可能となる。
【００３８】
その場合、連写モードの種類（名称等）から各々の連写モードを用いたときの連続撮影時の具体的な動作内容を判断することが困難となるが、そのような場合であっても、前述したようにユーザーは自分が重視する特定の動作条件についてのみ所望する値に最も近いものを選択するだけで、重視する特定の動作条件が最も近い連写モードを容易に選択することができるため、使い勝手がよい。
【００３９】
また、上記とは別に、各々の動作条件の設定値を本実施形態と同様に予め決められている候補の中から選択するようにしたとしても、選択可能な候補値の数が多くなるとその選択が煩雑となる。そのため、全ての動作条件の設定値を手動で選択させる場合には、それを容易にするための方法として、例えば候補値を範囲分けしておき（画像サイズであれば「大サイズ」、「中サイズ」、「小サイズ」等）、候補の範囲を特定して候補値を特定範囲に絞った後、その範囲内の候補値を選択させる方法、つまり設定値の選択を階層的（段階的）に行わせる方法考えられるが、その場合には、選択可能な候補値の数に比例して階層が深くなる（選択操作回数が増える）。特に、候補値群の表示等を行う画面が小さく、視認性を損なうことなく同一画面上に表示できる候補値群の数が少ない構成である場合には、それが顕著となる。
【００４０】
それに対し、本実施形態においては、前述したように、ある動作条件以外の他の動作条件の設定値が、ある動作条件の設定値に応じて自動的に設定されるため、ユーザーは、ある動作条件についてのみ設定値を選択すればよい。したがって、各々の動作条件について選択可能な候補値の数を増やしたとしてもユーザーの負担増加をごく僅かなものに抑えることができるいとった効果もある。
【００４１】
なお、本実施形態では、デジタルカメラ１が、連続撮影により取得した静止画データの記録方式として「バッファ一括記録」と「逐次記録」との２種類を有している場合について説明したが、本発明は記録方式が単一である構成や、さらに上記以外の方式をさらに有している構成のものにも適用できる。
【００４２】
また、本実施形態では、ユーザーによる設定値の選択（変更）が可能な動作条件項目が、秒間撮影枚数、画像サイズ、最大撮影枚数であって、各々の設定値が相互に規制し合う関係にある場合についてのみ説明したが、各々の設定値が相互に規制し合う関係にある動作条件項目については秒間撮影枚数、画像サイズ、最大撮影枚数に限定されるものではなく、具体的な動作条件項目や、その数については任意である。
【００４３】
また、ユーザーによる設定値の選択（変更）が可能な動作条件項目には、本実施形態における記録方式のように他の動作条件項目と上記関係にはない動作条件項目が含まれていてもよい。また、各々の設定値が相互に規制し合う関係にない動作条件項目のみであっても構わないが、本実施形態のように、ユーザーによる設定値の選択（変更）が可能な動作条件項目が、各々の設定値が相互に規制し合う関係にあるものである場合には、本発明の効果としてより顕著な効果を得ることができる。
【００４４】
また、本発明を一般的な構成を有するデジタルカメラ１に適用した場合について説明したが、これに限らず、本発明は連写機能を備えたものであれば、携帯電話端末等の他の情報機器に内蔵されたデジタルカメラにも適用可能である。
【図面の簡単な説明】
【００４５】
【図１】本発明に係るデジタルカメラのブロック図である。
【図２】動作条件データの構成を示す概念図である。
【図３】連写機能に関する設定モードでのデジタルカメラの動作を示すフローチャートである。
【図４】同設定モードにおける表示画面の遷移図である。
【符号の説明】
【００４６】
１    デジタルカメラ
２    ＣＰＵ
３    光学系
４    ＣＣＤ
８    ＤＲＡＭ
９    液晶モニタ
１０    内蔵フラッシュメモリ
１２    メモリカード
１３    キー入力部
１０１    動作条件データ
２０１    候補値群
Ｇ１    モード選択画面
Ｇ２    確認画面
【図１】
2008244899.tif 000003
【図２】
2008244899.tif 000004
【図３】
2008244899.tif 000005
【図４】
2008244899.tif 000006